(57)【要約】【課題】保守・点検における故障発生の少ない検電回路を提供する。【解決手段】平滑化コンデンサ１０の端子１０ａ，１０ｂには配線２０，２２がそれぞれ接続され、配線２０，２２には抵抗器２６，２４がそれぞれ挿入されており、さらに、配線２０，２２の先端にには検電ピン３０，３２がそれぞれ接続されている。保守作業員が、感電防止のため平滑化コンデンサ１０の電圧を検査する際、検電ピン３０，３２に電圧計９０の測定棒９２、９４が、検電ピン３０，３２にそれぞれ接触した状態で、測定棒９２，９４同士が接触して短絡が発生したり、接地されていない側の検電ピン３０に接触している測定棒９２が接地部分と接触して地絡が発生した場合にも、抵抗器２４，２６に電流が流れることにより、制御回路１に過大な電流が流れるのを防ぎ、故障発生が少ない。【選択図】        図１
2004294169.tif 000002
【特許請求の範囲】
【請求項１】
充電部（１０）における一対の端子（１０ａ，１０ｂ）のそれぞれに対応して接続された一対の検電端子（３０，３２）と、
前記一対の端子に対応する前記一対の検電端子のそれぞれと、前記一対の端子とを接続する一対の配線（２０，２２）と、
前記一対の配線のうち少なくとも一方に設けられた抵抗器（２４，２６）と、を備えることを特徴とする検電回路（５０）。
【請求項２】
請求項１記載の検電回路において、
前記一対の端子のうちの一方が接地された接地側端子（１０ｂ）であり、他方が接地されていない不接地側端子（１０ａ）であって、
前記抵抗器（２４）が、前記不接地側端子に接続された前記配線（２０）に設けられていることを特徴とする検電回路。
【請求項３】
請求項２記載の検電回路において、さらに、
前記抵抗器とは別の抵抗器（２６）が、前記接地側端子に接続された前記配線（２２）に設けられていることを特徴とする検電回路。
【発明の詳細な説明】
【０００１】
【発明の属する技術分野】
この発明は、冷却装置の保守・点検における故障を低減する技術に関する。
【０００２】
【従来の技術】
従来より、エアコン等の冷却装置内部の電装部の制御基板が故障した際、これを交換する必要があった。かかる交換は例えば特許文献１に例示されている。このような交換作業のみならず、一般に電装部を分解する際には、感電事故防止のため作業前に充電部分の電圧確認作業が通常行われている。
【０００３】
【特許文献１】
特開平１０−３００１７７号公報
【０００４】
【発明が解決しようとする課題】
電圧確認作業においては、電圧計の一対の測定棒を電装部の端子に接触させる。しかしながら、この状態で一対の測定棒同士が接触すると短絡が生じ、また同様の状態で測定棒の一方がシャーシ等の接地部分にに接触すると地絡が発生する場合があった。これらは冷却装置の故障の原因となり得た。
【０００５】
本発明は、上記課題に鑑みてなされたものであり、保守・点検における故障発生の少ない検電回路を提供することを目的とする。
【０００６】
【課題を解決するための手段】
上記の目的を達成するため、請求項１の発明は、冷却装置の回路に設けられた充電部における一対の端子のそれぞれに対応して接続された一対の検電端子と、前記一対の端子に対応する前記一対の検電端子のそれぞれと、前記一対の端子とを接続する一対の配線と、前記一対の配線のうち少なくとも一方に設けられた抵抗器と、を備えている。
【０００７】
また、請求項２の発明は、請求項１記載の検電回路であって、前記一対の端子のうちの一方が接地された接地側端子であり、他方が接地されていない不接地側端子であって、前記抵抗器が、前記不接地側端子に接続された前記配線に設けられている。
【０００８】
さらに、請求項３の発明は、請求項２記載の検電回路であって、さらに、前記抵抗器とは別の抵抗器が、前記接地側端子に接続された前記配線に設けられている。
【０００９】
【発明の実施の形態】
図１は本発明の実施の形態である検電回路５０を備えたインバータエアコンの制御回路１を主に示す回路図である。
【００１０】
この制御回路１は交流電源２にスイッチ４を介して、ダイオード６ａ，６ｂ，６ｃ，６ｄ，６ｅ，６ｆよりなるダイオードモジュール６が接続されている。さらにダイオードモジュール６と並列に、充電部である平滑化コンデンサ１０およびインバータ回路１２が接続されている。また、ダイオードモジュール６とインバータ回路１２とを結ぶ配線１６，１８のうち配線１８は接地されており、配線１６は接地されていない。配線１６にはダイオード６ａ，６ｂ，６ｃのカソードが、配線１８にはダイオード６ｄ，６ｅ，６ｆのアノードが、それぞれ接続されている。よって、以下では、平滑化コンデンサ１０の配線１６に接続された端子を高圧側端子１０ａ、配線１８に接続された端子を接地側端子１０ｂと呼ぶ。高圧側端子１０ａは接地されていないという意味で、不接地側端子として把握することもできる。
【００１１】
また、インバータ回路１２はトランジスタ１２ａ，１２ｂ，１２ｃ，１２ｄ，１２ｅ，１２ｆにより構成されている。そして、インバータ回路１２には圧縮機駆動モータ１４が接続されている。
【００１２】
このインバータエアコンの正常運転時には、制御回路１は以下のように圧縮機（図示省略）の駆動制御を行う。すなわち、交流電源２から供給された交流電流は、ダイオードモジュール６により整流された後、平滑化コンデンサ１０により直流に変換される。その直流電流は、不図示のスイッチング制御回路による各トランジスタのスイッチングのタイミング制御を受けたインバータ回路１２において、任意の周波数の交流に変換された後、圧縮機駆動モータ１４に供給され、それにより、圧縮機が動作する。
【００１３】
また、この制御回路１には、保守の際に平滑化コンデンサ１０の電圧を測定するための検電回路５０が設けられている。検電回路５０は、配線２０，２２、抵抗器２４，２６および検電ピン３０，３２を備えている。配線２０は平滑化コンデンサ１０の高圧側端子１０ａに、配線２２は平滑化コンデンサ１０の接地側端子１０ｂにそれぞれ接続されている。
【００１４】
配線２０，２２には抵抗器２４，２６がそれぞれ挿入されており、さらに、配線２０，２２の先端には検電端子としての検電ピン３０，３２がそれぞれ接続されている。
【００１５】
保守作業員がインバータエアコン内部の電装部を分解する必要がある場合に、スイッチ４を遮断する。しかし平滑化コンデンサ１０には電荷が充電されている可能性があるので、予め感電防止のため平滑化コンデンサ１０の電圧を検査する。具体的には、検電ピン３０，３２に電圧計９０の測定棒９２，９４をそれぞれ当てて電圧を測定する。
【００１６】
その際、測定棒９２、９４が、検電ピン３０，３２にそれぞれ接触した状態で、測定棒９２，９４同士が接触して短絡が発生したり、測定棒９２が接地部分と接触して地絡が発生した場合にも、平滑コンデンサ１０に充電されていた電荷は抵抗器２４，２６を介して流れる。よってインバータエアコンや制御回路１に過大な電流が流れるのを防止することができ、保守・点検における冷却装置の故障発生が少ない。
【００１７】
特に、抵抗器２４が高圧側端子１０ａに接続された配線２０に設けられていることにより、地絡による電流を有効に低減できる。
【００１８】
このような効果を奏するものであるから、抵抗器２４，２６としては、充電部（この実施の形態では平滑化コンデンサ１０）の容量に応じた抵抗値のものを用いることが望ましい。例えば、平滑化コンデンサ１０として８６０μＦの容量のものを３個設けた場合に、抵抗器２４，２６を、消費電力が１／２Ｗ程度、抵抗値が２００ＫΩ程度とする。
【００１９】
なお、この実施の形態において検電回路の一例として、インバータエアコンの制御回路１に設けた検電回路５０を示したが、この発明はこれに限られるものではない。
【００２０】
例えば、冷却装置として冷蔵庫や冷凍庫等のその他の冷却装置における充電部に、同様の検電回路を設けるものとしても良い。また冷却装置以外の充電部に本発明を適用することも可能である。
【００２１】
また、この実施の形態の検電回路５０では、配線２０，２２の両方に抵抗器２４，２６を設けるものとしたが、一方にのみ設けるものとしてもよい。特に、不接地側の抵抗器２４のみを設け、接地側には抵抗器を設けないものとしても、この実施の形態の検電回路５０と同様の効果を奏する。
【００２２】
【発明の効果】
以上、説明したように、請求項１ないし請求項３の発明によれば、例えば、電圧計を用いて充電部の電圧を測る場合、電圧計の一対の測定棒が、一対の検電端子にそれぞれ接触した状態で、測定棒同士が接触して短絡が発生した場合にも、抵抗器を電流が流れることにより、過大な電流が流れるのを防止することができるため、保守・点検における冷却装置の故障発生を低減することができる。
【００２３】
また、請求項２の発明によれば、電圧計を用いて充電部の電圧を測る場合、電圧計の接地されていない側の検電端子に接触している測定棒が接地部分と接触して地絡が発生した場合にも、抵抗器を電流が流れることにより、過大な電流が流れるのを防止することができ、保守・点検における冷却装置の故障発生がさらに低減できる。
【００２４】
さらに、請求項３の発明によれば、電圧計測の際の上記の短絡および地絡による過大電流をいずれも防止することができるため、保守・点検における冷却装置の故障発生が一層低減できる。
【図面の簡単な説明】
【図１】本発明の実施の形態である検電回路を備えたインバータエアコンの制御回路１を主に示す回路図である。
【符号の説明】
１０  平滑化コンデンサ
１０ａ  高圧側端子
１０ｂ  接地側端子
２０，２２  配線
２４，２６  抵抗器
３０，３２  検電ピン
５０  検電回路
【図１】
2004294169.tif 000003